(57)【要約】【課題】複数種類の電子機器を自動的にユーザ所望の設定にすることができ利便性が向上する電子機器およびプログラムを提供する。【解決手段】本発明の電子機器は、機器の設定情報および操作手段により入力されたパスワードを暗号化し、暗号化された設定情報およびパスワードをリムーバブルメディアに記録させ、暗号化された設定情報およびパスワードが記録されたリムーバブルメディアが装着されると、パスワードを要求し、正しいパスワードが入力されると、リムーバブルメディアに記録された暗号化された設定情報を復号化し、復号化された設定情報のうち機器に設定可能な設定情報を機器に設定する。【選択図】図１
2009048513.tif 000002
【特許請求の範囲】
【請求項１】
機器の設定情報および操作手段により入力されたパスワードを暗号化する暗号化手段と、前記暗号化手段により暗号化された前記機器の設定情報および前記パスワードを機器に装着されたリムーバブルメディアに記録させる記録手段と、を備え、
さらに、暗号化された機器の設定情報およびパスワードが記録されたリムーバブルメディアが機器に装着されると、そのリムーバブルメディアに記録された前記暗号化された機器の設定情報およびパスワードを復号化する復号化手段と、
前記暗号化された機器の設定情報およびパスワードが記録されたリムーバブルメディアが機器に装着されると、表示手段にパスワード入力用画面を表示させる画面表示手段と、
前記パスワード入力用画面において操作手段によりパスワードが入力され、その入力されたパスワードと前記復号化手段により復号化されたパスワードとが一致した場合、前記復号化手段により復号化された機器の設定情報のうち機器に設定可能な設定情報を機器に設定し、前記入力されたパスワードと前記復号化手段により復号化されたパスワードとが一致しない場合、前記復号化手段により復号化された機器の設定情報を機器に設定することはしない設定手段と、を備えることを特徴とする電子機器。
【請求項２】
前記記録手段は、機器に設定されたＯＳＤ表示言語設定情報を前記リムーバブルメディアに記録させ、
前記画面表示手段は、ＯＳＤ表示言語設定情報が記録された前記リムーバブルメディアが機器に装着されると、そのリムーバブルメディアに記録された前記ＯＳＤ表示言語設定情報に基づき前記表示手段に前記パスワード入力用画面を表示させることを特徴とする請求項１に記載の電子機器。
【請求項３】
前記設定手段は、前記リムーバブルメディアが機器から取り外されると、前記機器に設定した設定情報による設定を前記リムーバブルメディアが機器に装着される前に機器に設定されていた設定に戻すことを特徴とする請求項１または請求項２に記載の電子機器。
【請求項４】
コンピュータを、操作手段により指定された複数種類の電子機器についての設定内容を表す設定情報および操作手段により入力されたパスワードを暗号化する手段と、暗号化された前記設定情報および前記パスワードをリムーバブルメディアに記録させる手段として機能させることを特徴とするプログラム。
【発明の詳細な説明】
【技術分野】
【０００１】
本発明は、電子機器およびプログラムに関する。
【背景技術】
【０００２】
テレビ、テレビ放送受信機、ＤＶＤ機器等のあらゆる電子機器ではユーザが各種の設定を行えるようになっている。
【０００３】
電子機器として例えばテレビ放送受信機について、特許文献１には、ユーザが設定した映像調整値等の設定情報を自動的に外部メモリに記憶させ、外部メモリが接続されるとその外部メモリに記憶されている設定情報を読み出し、その設定情報に応じた映像の調整等を行うようなテレビ放送受信機が開示されている。このようなテレビ放送受信機によれば、自動的にテレビ放送受信機をユーザ所望の設定にすることができる。
【特許文献１】特開２００２−１６８５３号公報
【発明の開示】
【発明が解決しようとする課題】
【０００４】
しかし、上記特許文献１のテレビ放送受信機では、テレビ放送受信機という一種類の電子機器に対してしか自動的な設定が行えないという問題点があった。
【０００５】
上記問題点を鑑み、本発明は、複数種類の電子機器を自動的にユーザ所望の設定にすることができ利便性が向上する電子機器およびプログラムを提供することを目的とする。
【課題を解決するための手段】
【０００６】
上記目的を達成するために本発明の電子機器は、機器の設定情報および操作手段により入力されたパスワードを暗号化する暗号化手段と、前記暗号化手段により暗号化された前記機器の設定情報および前記パスワードを機器に装着されたリムーバブルメディアに記録させる記録手段と、を備え、
さらに、暗号化された機器の設定情報およびパスワードが記録されたリムーバブルメディアが機器に装着されると、そのリムーバブルメディアに記録された前記暗号化された機器の設定情報およびパスワードを復号化する復号化手段と、
前記暗号化された機器の設定情報およびパスワードが記録されたリムーバブルメディアが機器に装着されると、表示手段にパスワード入力用画面を表示させる画面表示手段と、
前記パスワード入力用画面において操作手段によりパスワードが入力され、その入力されたパスワードと前記復号化手段により復号化されたパスワードとが一致した場合、前記復号化手段により復号化された機器の設定情報のうち機器に設定可能な設定情報を機器に設定し、前記入力されたパスワードと前記復号化手段により復号化されたパスワードとが一致しない場合、前記復号化手段により復号化された機器の設定情報を機器に設定することはしない設定手段と、を備えることを特徴としている。
【０００７】
このような構成によれば、ある電子機器によりリムーバブルメディアに機器の設定を記録させてから、そのリムーバブルメディアを複数種類の電子機器に装着することで、複数種類の電子機器を自動的にユーザ所望の設定にすることができ、利便性が高い。また、正しいパスワードが入力されなければ、リムーバブルメディアに記録された設定は機器に反映されないので、他人が勝手にリムーバブルメディアに記録された設定を使用することを防げる。
【０００８】
また、本発明の電子機器は、上記構成において、前記記録手段は、機器に設定されたＯＳＤ表示言語設定情報を前記リムーバブルメディアに記録させ、
前記画面表示手段は、ＯＳＤ表示言語設定情報が記録された前記リムーバブルメディアが機器に装着されると、そのリムーバブルメディアに記録された前記ＯＳＤ表示言語設定情報に基づき前記表示手段に前記パスワード入力用画面を表示させることを特徴としている。このような構成によれば、ユーザ所望の言語でパスワード入力用画面を表示させることができる。
【０００９】
また、本発明の電子機器は、上記構成において、前記設定手段は、前記リムーバブルメディアが機器から取り外されると、前記機器に設定した設定情報による設定を前記リムーバブルメディアが機器に装着される前に機器に設定されていた設定に戻すことを特徴としている。このような構成によれば、ユーザはリムーバブルメディアに記録された設定を一時的に使用した後、リムーバブルメディアを取り外すことで元の設定に戻すことができる。
【００１０】
また、上記目的を達成するために本発明のプログラムは、コンピュータを、操作手段により指定された複数種類の電子機器についての設定内容を表す設定情報および操作手段により入力されたパスワードを暗号化する手段と、暗号化された前記設定情報および前記パスワードをリムーバブルメディアに記録させる手段として機能させるプログラムとしている。
【００１１】
このようなプログラムにより複数種類の電子機器の設定が記録されたリムーバブルメディアを複数種類の電子機器に装着することで、複数種類の電子機器を自動的にユーザ所望の設定にすることができる。また、正しいパスワードが入力されないとリムーバブルメディアに記録された設定を機器に反映させないようにすることができ、他人が勝手にリムーバブルメディアに記録された設定を使用することを防げる。
【発明の効果】
【００１２】
本発明の電子機器およびプログラムによれば、複数種類の電子機器を自動的にユーザ所望の設定にすることができ利便性が向上する。
【発明を実施するための最良の形態】
【００１３】
以下、本発明の実施形態の一例について図面を参照して説明する。ここでは電子機器としてテレビおよびＤＶＤプレーヤを例として説明する。
【００１４】
図１に、本発明に係るテレビの概略構成を示す。本発明に係るテレビ１００は、選局部２と、復調部３と、映像音声処理部４と、映像表示部５と、音声出力部６と、ＯＳＤ（Ｏｎ  Ｓｃｒｅｅｎ  Ｄｉｓｐｌａｙ）部７と、リモコン受信部８と、ＵＳＢ（Ｕｎｉｖｅｒｓａｌ  Ｓｅｒｉａｌ  Ｂｕｓ）インタフェース９と、記憶部１０と、制御部１１とを備えている。
【００１５】
選局部２は、アンテナ１からの放送信号から所望のチャンネルの放送信号を抽出して復調部３へ出力する。復調部３は、選局部２からの放送信号をデジタル復調し、ストリーム情報を映像音声処理部４へ出力する。映像音声処理部４は、復調部３からのストリーム情報から映像情報、音声情報を分離し、各情報をデコードする。そして、映像音声処理部４は、デコードされた映像情報に対して画質調整を行い、画質調整後の映像情報を映像表示部５へ出力する。映像表示部５は、映像音声処理部４からの映像情報に基づき映像を表示する。また、映像音声処理部４がデコードした音声情報は音声出力部６へ出力され、音声出力部６は、音声情報に基づき音声を発生する。
【００１６】
ＯＳＤ部７は、ＯＳＤ映像情報を生成し、そのＯＳＤ映像情報を映像音声処理部４を介して映像表示部５へ出力し、映像表示部５はＯＳＤ映像を表示する。
【００１７】
リモコン受信部８は、不図示のリモコンから赤外線信号を受信しリモコンコードに変換して制御部１１へ出力する。記憶部１０は、後述する各種設定情報が記憶される。ＵＳＢインタフェース９は、リムーバブルメディアであるＵＳＢメモリ２００を着脱可能なインタフェースである。
【００１８】
ここで、記憶部１０には、不図示のリモコンにおける設定操作に応じて各種設定情報が記憶され、このような設定情報には画質調整設定情報、テレビ視聴制限設定情報、ＯＳＤ表示言語設定情報が含まれる。
【００１９】
画質調整設定情報はブライトネス、コントラスト、シャープネス等からなり、映像音声処理部４は記憶部１０に記憶された画質調整設定情報に基づき画質調整を行う。また、記憶部１０に記憶されたテレビ視聴制限設定情報および映像音声処理部４によりストリーム情報から分離された視聴制限情報に基づき映像音声処理部４による映像音声出力の停止が制御され、視聴制限が行われる。また、記憶部１０に記憶されたＯＳＤ表示言語設定情報に基づきＯＳＤ部７はＯＳＤ映像情報を生成し、映像表示部５にはＯＳＤ表示言語設定情報が表す言語でＯＳＤ映像が表示される。
【００２０】
このような各種設定情報を本発明に係るテレビ１００によればＵＳＢメモリ２００に記録させることができる。以下、本発明に係るテレビ１００によるＵＳＢメモリ２００への設定情報の記録について図２のフローチャートを用いて説明する。
【００２１】
不図示のリモコンにおいてメインメニュー表示操作がされると、ＯＳＤ部７によるＯＳＤ映像情報生成により、映像表示部５にメインメニュー画面が表示される。本画面には設定情報保存メニューが含まれ、本メニューがリモコン操作により選択されると、ステップＳ２１でＯＳＤ部７によるＯＳＤ映像情報生成により、パスワード入力画面が映像表示部５に表示される。本画面においてリモコン操作によりパスワードが入力され、リモコンにおいて記録実行操作がされると、ステップＳ２２に進む。
【００２２】
ステップＳ２２で、制御部１１は、上記で入力されたパスワードを用いて記憶部１０に記憶された画質調整設定情報およびテレビ視聴制限設定情報を暗号化し、ＵＳＢインタフェース９を介してＵＳＢメモリ２００に記録させる。また、このとき制御部１１は、画質調整設定、テレビ視聴制限設定それぞれを表すタグ情報も上記入力されたパスワードを用いて暗号化し、ＵＳＢインタフェース９を介してＵＳＢメモリ２００に記録させる。また、制御部１１は、上記入力されたパスワードを鍵を用いて暗号化し、ＵＳＢインタフェース９を介してＵＳＢメモリ２００に記録させる。また、制御部１１は、記憶部１０に記憶されたＯＳＤ表示言語設定情報およびＯＳＤ表示言語設定を表すタグ情報については暗号化しないでＵＳＢインタフェース９を介してＵＳＢメモリ２００に記録させる。このような記録後のＵＳＢメモリ２００の記録状態を図３に示す。
【００２３】
また、図４に、本発明に係るＤＶＤプレーヤの概略構成を示す。本発明に係るＤＶＤプレーヤ３００は、ＤＶＤ再生部１２と、映像音声処理部１３と、ＯＳＤ部１４と、リモコン受信部１５と、記憶部１６と、ＵＳＢインタフェース１７と、制御部１８とを備えている。
【００２４】
ＤＶＤ再生部１２は、ＤＶＤを再生してストリーム情報を映像音声処理部１３に出力する。映像音声処理部１３は、ＤＶＤ再生部１２からのストリーム情報から映像情報、字幕情報、音声情報を分離し、各情報をデコードする。そして、映像音声処理部１３は、デコードされた映像情報および字幕情報を合成して合成映像情報を生成し、合成映像情報に対して画質調整を行い、画質調整後の映像情報を外部のモニタへ出力する。また、映像音声処理部１３がデコードした音声情報は外部のスピーカへ出力される。
【００２５】
ＯＳＤ部１４は、ＯＳＤ映像情報を生成し、そのＯＳＤ映像情報を映像音声処理部１３を介して外部のモニタへ出力し、モニタにはＯＳＤ映像が表示される。
【００２６】
リモコン受信部１５は、不図示のリモコンから赤外線信号を受信しリモコンコードに変換して制御部１８へ出力する。記憶部１６は、後述する各種設定情報が記憶される。ＵＳＢインタフェース１７は、ＵＳＢメモリ２００を着脱可能なインタフェースである。
【００２７】
ここで、記憶部１６には、不図示のリモコンにおける設定操作に応じて各種設定情報が記憶され、このような設定情報には画質調整設定情報、ＤＶＤ音声言語設定情報、ＤＶＤ字幕言語設定情報、ＤＶＤ視聴制限設定情報、ＯＳＤ表示言語設定情報が含まれる。
【００２８】
画質調整設定情報はブライトネス、コントラスト、シャープネス等からなり、映像音声処理部１３は記憶部１６に記憶された画質調整設定情報に基づき画質調整を行う。
【００２９】
また、映像音声処理部１３は、記憶部１６に記憶されたＤＶＤ音声言語設定情報が表す言語の音声情報をストリーム情報から分離された音声情報から選択し、選択された音声情報をデコードし外部のスピーカへ出力し、スピーカから設定された言語の音声が発生される。
【００３０】
また、映像音声処理部１３は、記憶部１６に記憶されたＤＶＤ字幕言語設定情報が表す言語の字幕情報をストリーム情報から分離された字幕情報から選択し、選択された字幕情報をデコードし、外部のモニタには設定された言語の字幕が表示される。
【００３１】
また、映像音声処理部１３は、記憶部１６に記憶されたＤＶＤ視聴制限設定情報が表すレベルの映像情報、字幕情報、音声情報をストリーム情報から分離された各情報から選択し、選択された映像情報、字幕情報、音声情報をデコードし、外部のモニタには設定された視聴制限レベルに応じた映像が表示され、外部のスピーカから設定された視聴制限レベルに応じた音声が発生される。
【００３２】
また、記憶部１６に記憶されたＯＳＤ表示言語設定情報に基づきＯＳＤ部１４はＯＳＤ映像情報を生成し、外部のモニタにはＯＳＤ表示言語設定情報が表す言語でＯＳＤ映像が表示される。
【００３３】
このような各種設定情報を本発明に係るＤＶＤプレーヤ３００によればＵＳＢメモリ２００に記録させることができる。以下、本発明に係るＤＶＤプレーヤ３００によるＵＳＢメモリ２００への設定情報の記録について図２のフローチャートを用いて説明する。
【００３４】
不図示のリモコンにおいてメインメニュー表示操作がされると、ＯＳＤ部１４によるＯＳＤ映像情報生成により、外部のモニタにメインメニュー画面が表示される。本画面には設定情報保存メニューが含まれ、本メニューがリモコン操作により選択されると、ステップＳ２１でＯＳＤ部１４によるＯＳＤ映像情報生成により、パスワード入力画面が外部のモニタに表示される。本画面においてリモコン操作によりパスワードが入力され、リモコンにおいて記録実行操作がされると、ステップＳ２２に進む。
【００３５】
ステップＳ２２で、制御部１８は、上記で入力されたパスワードを用いて記憶部１６に記憶された画質調整設定情報、ＤＶＤ音声言語設定情報、ＤＶＤ字幕言語設定情報、ＤＶＤ視聴制限設定情報を暗号化し、ＵＳＢインタフェース１７を介してＵＳＢメモリ２００に記録させる。また、このとき制御部１８は、画質調整設定、ＤＶＤ音声言語設定、ＤＶＤ字幕言語設定、ＤＶＤ視聴制限設定それぞれを表すタグ情報も上記入力されたパスワードを用いて暗号化し、ＵＳＢインタフェース１７を介してＵＳＢメモリ２００に記録させる。また、制御部１８は、上記入力されたパスワードを鍵を用いて暗号化し、ＵＳＢインタフェース１７を介してＵＳＢメモリ２００に記録させる。また、制御部１８は、記憶部１６に記憶されたＯＳＤ表示言語設定情報およびＯＳＤ表示言語設定を表すタグ情報については暗号化しないでＵＳＢインタフェース１７を介してＵＳＢメモリ２００に記録させる。このような記録後のＵＳＢメモリ２００の記録状態を図５に示す。
【００３６】
次に、本発明に係るテレビ１００（図１）へＵＳＢメモリを装着したときの自動設定について図６のフローチャートを用いて説明する。
【００３７】
ここで、予め記憶部１０には、画質調整設定情報、テレビ視聴制限設定情報、ＯＳＤ表示言語設定情報を含む各種設定情報が機器の設定として記憶されているものとする。そして、ＵＳＢメモリ２００がＵＳＢインタフェース９に装着されると、制御部１１はこれを検知し、ステップＳ６１で、ＵＳＢメモリ２００にＯＳＤ表示言語設定を表すタグ情報が記録されているか否か確認し、タグ情報が記録されていればＵＳＢメモリ２００に各種設定情報が記録されているものとして（ステップＳ６１のＹ）、ステップＳ６２に進み、タグ情報が記録されていなければＵＳＢメモリ２００に各種設定情報が記録されていないものとして（ステップＳ６１のＮ）、そのまま処理終了となる。
【００３８】
ステップＳ６２で、制御部１１は、ＵＳＢメモリ２００からＯＳＤ表示言語設定情報を読み出し、読み出したＯＳＤ表示言語設定情報を記憶部１０に機器の新たな設定として記憶させる。
【００３９】
そして、ステップＳ６３で、ＯＳＤ部７が、上記機器の新たな設定として記憶されたＯＳＤ表示言語設定情報に基づきＯＳＤ映像情報を生成し、映像表示部５にそのＯＳＤ表示言語設定情報が表す言語でのパスワード入力画面が表示される。ここでは、ユーザ所望の言語でパスワード入力画面が表示されることとなる。
【００４０】
ここで不図示のリモコンの操作によりパスワードが入力されると、ステップＳ６４で、制御部１１は、ＵＳＢメモリ２００からパスワードを読み出し、読み出されたパスワードを鍵を用いて復号化し、復号化されたパスワードとパスワード入力画面で入力されたパスワードとを比較して一致するか確認する。
【００４１】
もし、パスワードが一致すれば、入力されたパスワードが正しいとして（ステップＳ６５のＹ）、ステップＳ６６に進む。ステップＳ６６で、制御部１１は、ＵＳＢメモリ２００から暗号化されたタグ情報および設定情報を読み出し、読み出されたタグ情報および設定情報を上記復号化されたパスワードを用いて復号化し、復号化されたタグ情報に基づき復号化された設定情報のうち設定可能な設定情報を検索し、復号化された設定情報のうち設定可能な設定情報を記憶部１０に機器の新たな設定として記憶させる。
【００４２】
なお、この後、ＵＳＢメモリ２００がＵＳＢインタフェース９から取り外されると、制御部１１は、ステップＳ６２およびステップＳ６６で記憶部１０に新たな機器の設定として記憶された設定情報を削除し、ＵＳＢメモリ装着前に記憶部１０に記憶されていた対応する設定情報を新たな機器の設定とし、機器の設定がＵＳＢメモリ装着前の設定に戻る。
【００４３】
また、ステップＳ６４でパスワードが一致するか確認され一致しなかった場合、入力されたパスワードは正しくないとして（ステップＳ６５のＮ）、ステップＳ６７に進む。ステップＳ６７で、制御部１１は、ステップＳ６２で記憶部１０に新たな機器の設定として記憶されたＯＳＤ表示言語設定情報を削除し、ＵＳＢメモリ装着前に記憶部１０に記憶されていたＯＳＤ表示言語設定情報を新たな機器の設定とし、機器の設定がＵＳＢメモリ装着前の設定に戻る。これにより、他人が勝手にＵＳＢメモリに記録された設定を使用することを防げる。
【００４４】
次に、本発明に係るＤＶＤプレーヤ３００（図４）へＵＳＢメモリを装着したときの自動設定について図６のフローチャートを用いて説明する。
【００４５】
ここで、予め記憶部１６には、画質調整設定情報、ＤＶＤ音声言語設定情報、ＤＶＤ字幕言語設定情報、ＤＶＤ視聴制限設定情報、ＯＳＤ表示言語設定情報を含む各種設定情報が機器の設定として記憶されているものとする。そして、ＵＳＢメモリ２００がＵＳＢインタフェース１７に装着されると、制御部１８はこれを検知し、ステップＳ６１で、ＵＳＢメモリ２００にＯＳＤ表示言語設定を表すタグ情報が記録されているか否か確認し、タグ情報が記録されていればＵＳＢメモリ２００に各種設定情報が記録されているものとして（ステップＳ６１のＹ）、ステップＳ６２に進み、タグ情報が記録されていなければＵＳＢメモリ２００に各種設定情報が記録されていないものとして（ステップＳ６１のＮ）、そのまま処理終了となる。
【００４６】
ステップＳ６２で、制御部１８は、ＵＳＢメモリ２００からＯＳＤ表示言語設定情報を読み出し、読み出したＯＳＤ表示言語設定情報を記憶部１６に機器の新たな設定として記憶させる。
【００４７】
そして、ステップＳ６３で、ＯＳＤ部１４が、上記機器の新たな設定として記憶されたＯＳＤ表示言語設定情報に基づきＯＳＤ映像情報を生成し、外部のモニタにそのＯＳＤ表示言語設定情報が表す言語でのパスワード入力画面が表示される。ここでは、ユーザ所望の言語でパスワード入力画面が表示されることとなる。
【００４８】
ここで不図示のリモコンの操作によりパスワードが入力されると、ステップＳ６４で、制御部１８は、ＵＳＢメモリ２００からパスワードを読み出し、読み出されたパスワードを鍵を用いて復号化し、復号化されたパスワードとパスワード入力画面で入力されたパスワードとを比較して一致するか確認する。
【００４９】
もし、パスワードが一致すれば、入力されたパスワードが正しいとして（ステップＳ６５のＹ）、ステップＳ６６に進む。ステップＳ６６で、制御部１８は、ＵＳＢメモリ２００から暗号化されたタグ情報および設定情報を読み出し、読み出されたタグ情報および設定情報を上記復号化されたパスワードを用いて復号化し、復号化されたタグ情報に基づき復号化された設定情報のうち設定可能な設定情報を検索し、復号化された設定情報のうち設定可能な設定情報を記憶部１６に機器の新たな設定として記憶させる。
【００５０】
なお、この後、ＵＳＢメモリ２００がＵＳＢインタフェース１７から取り外されると、制御部１８は、ステップＳ６２およびステップＳ６６で記憶部１６に新たな機器の設定として記憶された設定情報を削除し、ＵＳＢメモリ装着前に記憶部１６に記憶されていた対応する設定情報を新たな機器の設定とし、機器の設定がＵＳＢメモリ装着前の設定に戻る。
【００５１】
また、ステップＳ６４でパスワードが一致するか確認され一致しなかった場合、入力されたパスワードは正しくないとして（ステップＳ６５のＮ）、ステップＳ６７に進む。ステップＳ６７で、制御部１８は、ステップＳ６２で記憶部１６に新たな機器の設定として記憶されたＯＳＤ表示言語設定情報を削除し、ＵＳＢメモリ装着前に記憶部１６に記憶されていたＯＳＤ表示言語設定情報を新たな機器の設定とし、機器の設定がＵＳＢメモリ装着前の設定に戻る。これにより、他人が勝手にＵＳＢメモリに記録された設定を使用することを防げる。
【００５２】
前述のように、本発明に係るテレビ１００によりＵＳＢメモリ２００に設定情報が記録され、ＵＳＢメモリ２００が図３に示すような記録状態であり、このＵＳＢメモリ２００を本発明に係るテレビ１００に装着すると、図６のフローチャートにより、ＵＳＢメモリ２００からＯＳＤ表示言語設定情報が読み出されテレビ１００に一時的に設定され、パスワードをテレビ１００が要求し、ここでユーザが正しいパスワードを入力すれば、ＵＳＢメモリ２００に記録された画質調整設定情報およびテレビ視聴制限設定情報が復号化され、このうちテレビ１００に設定可能である復号化された画質調整設定情報およびテレビ視聴制限設定情報がテレビ１００の新たな設定として設定される。
【００５３】
また、前述のように、本発明に係るテレビ１００によりＵＳＢメモリ２００に設定情報が記録され、ＵＳＢメモリ２００が図３に示すような記録状態であり、このＵＳＢメモリ２００を本発明に係るＤＶＤプレーヤ３００に装着すると、図６のフローチャートにより、ＵＳＢメモリ２００からＯＳＤ表示言語設定情報が読み出されＤＶＤプレーヤ３００に一時的に設定され、パスワードをＤＶＤプレーヤ３００が要求し、ここでユーザが正しいパスワードを入力すれば、ＵＳＢメモリ２００に記録された画質調整設定情報およびテレビ視聴制限設定情報が復号化され、このうちＤＶＤプレーヤ３００に設定可能である復号化された画質調整設定情報がＤＶＤプレーヤ３００の新たな設定として設定される。
【００５４】
このように、テレビ１００によりＵＳＢメモリ２００にテレビ１００の設定を記録した後、ＵＳＢメモリ２００をテレビ１００やＤＶＤプレーヤ３００に装着することで、ＵＳＢメモリ２００に記録された設定がテレビ１００やＤＶＤプレーヤ３００に自動的になされ、複数種類の機器を容易にユーザ所望の設定状態にすることができる。
【００５５】
また、前述のように、本発明に係るＤＶＤプレーヤ３００によりＵＳＢメモリ２００に設定情報が記録され、ＵＳＢメモリ２００が図５に示すような記録状態であり、このＵＳＢメモリ２００を本発明に係るテレビ１００に装着すると、図６のフローチャートにより、ＵＳＢメモリ２００からＯＳＤ表示言語設定情報が読み出されテレビ１００に一時的に設定され、パスワードをテレビ１００が要求し、ここでユーザが正しいパスワードを入力すれば、ＵＳＢメモリ２００に記録された画質調整設定情報、ＤＶＤ音声言語設定情報、ＤＶＤ字幕言語設定情報、ＤＶＤ視聴制限設定情報が復号化され、このうちテレビ１００に設定可能である復号化された画質調整設定情報がテレビ１００の新たな設定として設定される。
【００５６】
また、前述のように、本発明に係るＤＶＤプレーヤ３００によりＵＳＢメモリ２００に設定情報が記録され、ＵＳＢメモリ２００が図５に示すような記録状態であり、このＵＳＢメモリ２００を本発明に係るＤＶＤプレーヤ３００に装着すると、図６のフローチャートにより、ＵＳＢメモリ２００からＯＳＤ表示言語設定情報が読み出されＤＶＤプレーヤ３００に一時的に設定され、パスワードをＤＶＤプレーヤ３００が要求し、ここでユーザが正しいパスワードを入力すれば、ＵＳＢメモリ２００に記録された画質調整設定情報、ＤＶＤ音声言語設定情報、ＤＶＤ字幕言語設定情報、ＤＶＤ視聴制限設定情報が復号化され、このうちＤＶＤプレーヤ３００に設定可能である復号化された画質調整設定情報、ＤＶＤ音声言語設定情報、ＤＶＤ字幕言語設定情報、ＤＶＤ視聴制限設定情報がＤＶＤプレーヤ３００の新たな設定として設定される。
【００５７】
このように、ＤＶＤプレーヤ３００によりＵＳＢメモリ２００にＤＶＤプレーヤ３００の設定を記録した後、ＵＳＢメモリ２００をテレビ１００やＤＶＤプレーヤ３００に装着することで、ＵＳＢメモリ２００に記録された設定がテレビ１００やＤＶＤプレーヤ３００に自動的になされ、複数種類の機器を容易にユーザ所望の設定状態にすることができる。
【００５８】
なお、テレビ１００やＤＶＤプレーヤ３００がＵＳＢメモリ２００に設定情報を記録させる際にＯＳＤ表示言語設定情報およびＯＳＤ表示言語設定のタグ情報は記録させないようにする場合は、図６のフローチャートにおいて、ステップＳ６１では、ＵＳＢメモリ２００に暗号化された情報が記録されているか確認するようにし、ステップＳ６２は省略し、ステップＳ６３では、予め機器に設定されているＯＳＤ表示言語設定を用いてパスワード入力画面を表示させ、ステップＳ６７は省略するようにすればよい。
【００５９】
以上の実施形態では、テレビやＤＶＤプレーヤによりＵＳＢメモリに設定を記録させていたが、パーソナルコンピュータ（以下、ＰＣ）によりテレビやＤＶＤプレーヤの設定をＵＳＢメモリに記録させるようにしてもよい。以下、ＰＣによる実施形態について説明する。
【００６０】
図７に、ＰＣの概略構成を示す。ＰＣ４００は、ＣＰＵ１９と、メモリ２０と、チップセット２１と、ビデオカード２２と、ＨＤＤ（ハードディスクドライブ）２３と、ＵＳＢインタフェース２４、２５、２６とを備えている。また、ビデオカード２２にはモニタ２７が、ＵＳＢインタフェース２４にはキーボード２８が、ＵＳＢインタフェース２５にはマウス２９が接続される。また、ＵＳＢインタフェース２６はＵＳＢメモリ２００が着脱可能である。
【００６１】
キーボード２８やマウス２９により本発明に係るプログラムの実行操作がされると、ＣＰＵ１９は、ＨＤＤ２３に記録された本発明に係るプログラムの実行を開始する。まず、ＣＰＵ１９はビデオカード２２に表示信号を出力させ、モニタ２７に図８（ａ）のような設定画面が表示される。本画面では、テレビおよびＤＶＤプレーヤ共通用の設定項目（ＯＳＤ表示言語設定、画質調整設定）、テレビ専用の設定項目（ＴＶ視聴制限設定）、ＤＶＤプレーヤ専用の設定項目（ＤＶＤ音声言語設定、ＤＶＤ字幕言語設定、ＤＶＤ視聴制限設定）が設定項目表示欄８１に表示され、各設定項目の各設定内容が設定内容表示欄８２に表示される。ここではデフォルトとして、ＯＳＤ表示言語設定の設定内容として「日本語」が表示され、それ以外の設定項目の設定内容は「なし」と表示される。
【００６２】
ここで、マウス２９の操作により設定内容が選択されると、その設定項目の設定内容の候補が表示され、マウス２９の操作により一つの候補を選択できる（ＯＳＤ表示言語設定については「なし」という候補は表示されない）。このような候補選択の結果の一例を図８（ｂ）に示す。
【００６３】
そして、マウス２９の操作により画面右下の「次へ」というボタンが押し下げられると、図８（ｃ）のようなパスワード入力画面がモニタ２７に表示される。ここで、キーボード２８の操作によりパスワードが入力され、画面右下の「記録」というボタンが押し下げられると、ＣＰＵ１９は、ＯＳＤ表示言語設定以外で設定内容が「なし」以外の設定項目を表すタグ情報と、その設定項目の設定内容を表す設定情報とを上記で入力されたパスワードを用いて暗号化してＵＳＢメモリ２００に記録させる。また、ＣＰＵ１９は、ＯＳＤ表示言語設定を表すタグ情報と、ＯＳＤ表示言語設定の設定内容を表す設定情報とを暗号化しないでＵＳＢメモリ２００に記録させる。また、ＣＰＵ１９は、上記で入力されたパスワードを鍵を用いて暗号化してＵＳＢメモリ２００に記録させる。例えば、図８（ｂ）のような画面表示の後、記録が実行されると、ＵＳＢメモリ２００の記録状態は図５のようになる。
【００６４】
このようにＰＣ４００によりＵＳＢメモリ２００にテレビおよびＤＶＤプレーヤの設定を記録後、ＵＳＢメモリ２００をテレビ１００やＤＶＤプレーヤ３００に装着すれば、図６のフローチャートにより、ＵＳＢメモリ２００に記録された設定がテレビ１００やＤＶＤプレーヤ３００に自動的になされ、複数種類の機器を容易にユーザ所望の設定状態にすることができる。また、ＵＳＢメモリ２００をテレビ１００やＤＶＤプレーヤ３００に装着して、正しいパスワードが入力されない場合、ＵＳＢメモリ２００に記録された設定は機器に反映されず、他人が勝手にＵＳＢメモリに記録された設定を使用することを防げる。
【００６５】
なお、以上の実施形態において、タグ情報および設定情報の暗号化、復号化についてはパスワードではなく、鍵を用いて行うようにしてもよい。また、リムーバブルメディアとしてＵＳＢメモリでなく、ＳＤカード等でもよい。
【図面の簡単な説明】
【００６６】
【図１】は、本発明に係るテレビの概略構成を示す図である。
【図２】は、本発明に係るテレビおよびＤＶＤプレーヤにおけるＵＳＢメモリへの設定記録動作に関するフローチャートである。
【図３】は、本発明に係るテレビによる記録後のＵＳＢメモリの記録状態を示す図である。
【図４】は、本発明に係るＤＶＤプレーヤの概略構成を示す図である。
【図５】は、本発明に係るＤＶＤプレーヤによる記録後のＵＳＢメモリの記録状態を示す図である。
【図６】は、本発明に係るテレビおよびＤＶＤプレーヤにおけるＵＳＢメモリ装着時の自動設定動作に関するフローチャートである。
【図７】は、パーソナルコンピュータの概略構成を示す図である。
【図８】は、本発明に係るプログラム実行時の（ａ）初期設定画面、（ｂ）設定画面における設定例、（ｃ）パスワード入力画面を示す図である。
【符号の説明】
【００６７】
１００    テレビ
２００    ＵＳＢメモリ
３００    ＤＶＤプレーヤ
４００    パーソナルコンピュータ
１    アンテナ
２    選局部
３    復調部
４    映像音声処理部
５    映像表示部
６    音声出力部
７    ＯＳＤ部
８    リモコン受信部
９    ＵＳＢインタフェース
１０    記憶部
１１    制御部
１２    ＤＶＤ再生部
１３    映像音声処理部
１４    ＯＳＤ部
１５    リモコン受信部
１６    記憶部
１７    ＵＳＢインタフェース
１８    制御部
１９    ＣＰＵ
２０    メモリ
２１    チップセット
２２    ビデオカード
２３    ＨＤＤ
２４、２５、２６    ＵＳＢインタフェース
２７    モニタ
２８    キーボード
２９    マウス
【図１】
2009048513.tif 000003
【図２】
2009048513.tif 000004
【図３】
2009048513.tif 000005
【図４】
2009048513.tif 000006
【図５】
2009048513.tif 000007
【図６】
2009048513.tif 000008
【図７】
2009048513.tif 000009
【図８】
2009048513.tif 000010